(57)【要約】【課題】風が吹いても飛んでいかない紙コップを提供する。【解決手段】本発明に係る紙コップ１００は、液体を収納するコップ本体部１１と、コップ本体部１１の開口１５の反対側に位置する底面部１７とから構成されている。コップ本体部１１および底面部１７の少なくとも一方は、無機物質粉末および樹脂を含む樹脂ペーパー材料１０から構成されている。【選択図】図２
2019026370.tif 000002
【特許請求の範囲】
【請求項１】
紙コップであって、
液体を収納するコップ本体部と、
前記コップ本体部の開口の反対側に位置する底面部と
を備え、
前記コップ本体部および前記底面部の少なくとも一方は、無機物質粉末および樹脂を含む樹脂ペーパー材料から構成されている、紙コップ。
【請求項２】
前記コップ本体部は筒状形状を有しており、
前記底面部は、円形形状を有しており、
前記コップ本体部および前記底面部の両方とも前記樹脂ペーパー材料から構成されており、
前記樹脂ペーパー材料の秤量は、パルプ材料から構成された紙材料の秤量よりも大きく、
前記コップ本体部は、他の前記コップ本体部の前記開口に挿入して積層可能な形状を有している、請求項１に記載に紙コップ。
【請求項３】
紙皿であって、
物が配置される皿本体部と、
前記皿本体部の外縁に位置する外縁部と
を備え、
前記皿本体部および前記外縁部は、無機物質粉末および樹脂を含む樹脂ペーパー材料から構成されている、紙皿。
【請求項４】
前記皿本体部および前記外縁部は、連結部によって接続されており、
前記皿本体部、前記外縁部および前記連結部は、一体的な構造となっており、
前記皿本体部、前記外縁部および前記連結部は、前記樹脂ペーパー材料から構成されており、
前記皿本体部及び前記外縁部は、他の前記皿本体部及び前記外縁部と積層可能な構造を有している、請求項３に記載の紙皿。
【発明の詳細な説明】
【技術分野】
【０００１】
本発明は、紙コップおよび紙皿に関する。特に、風が吹いても飛んでいかない紙コップおよび紙皿に関する。
【背景技術】
【０００２】
バーベキューや野外パーティーなどにおいて、紙コップなどの簡易容器が良く使用される。紙コップなどの簡易容器は、中身が空または少量の場合、風やテーブル等のぐらつきによって倒れやすく、そのために転がって床や地面に落ちて汚れてしまう（例えば、特許文献１参照）。
【０００３】
特許文献１では、少しの風やテーブル等のぐらつきからくる容器の転倒を防止するカップホルダーが提案されている。図１は、特許文献１に開示されたカップホルダー２０００を示している。図１に示したカップホルダー２０００は、カップ（紙コップ）１０００を保持する保持部２１００と、保持部２１００から延びた延長部２２００と、延長部２２００に接続された支持部２３００とから構成されている。支持部２３００がテーブルや台の上に置かれて、保持部２１００でカップ１０００を保持することができるので、カップの転倒を防止することができる。
【先行技術文献】
【特許文献】
【０００４】
【特許文献１】特開２０１１−３６３６２号公報
【発明の概要】
【発明が解決しようとする課題】
【０００５】
しかしながら、実際のバーベキューや野外パーティーなどにおいては、カップホルダーを利用されることは少ない。具体的には、カップホルダーを購入して持って行くるのが面倒であるという点とともに、カップホルダーを持っていったとしても、カップホルダーに紙コップを入れるのが面倒で、そのカップホルダーが使われないことが多いからである。また、特許文献１のカップホルダー２０００は、紙コップの転倒を防止することはできるものの、紙皿が風で飛んでいってしまうことを防止することはできない。
【０００６】
本願発明者は、このような状況の中、紙コップでも紙皿でも、風が吹いても飛んでいかず、しかも、バーベキュー等の会場で実際に食事（または宴会）する時にめんどくさくないものを鋭意検討して、それを実現できる紙コップおよび紙皿を考え出して本発明に至った。本発明はかかる点に鑑みてなされたものであり、その主な目的は、風が吹いても飛んでいかない紙コップおよび紙皿を提供することにある。
【課題を解決するための手段】
【０００７】
本発明に係る紙コップは、液体を収納するコップ本体部と、前記コップ本体部の開口の反対側に位置する底面部とを備えている。前記コップ本体部および前記底面部の少なくとも一方は、無機物質粉末および樹脂を含む樹脂ペーパー材料から構成されている。
【０００８】
ある好適な実施形態において、前記コップ本体部は筒状形状を有している。前記底面部は、円形形状を有している。前記コップ本体部および前記底面部の両方とも前記樹脂ペーパー材料から構成されている。前記樹脂ペーパー材料の秤量は、パルプ材料から構成された紙材料の秤量よりも大きい。前記コップ本体部は、他の前記コップ本体部の前記開口に挿入して積層可能な形状を有している。
【０００９】
本発明に係る紙皿は、物が配置される皿本体部と、前記皿本体部の外縁に位置する外縁部とを備えている。前記皿本体部および前記外縁部は、無機物質粉末および樹脂を含む樹脂ペーパー材料から構成されている。
【００１０】
ある好適な実施形態において、前記皿本体部および前記外縁部は、連結部によって接続されている。前記皿本体部、前記外縁部および前記連結部は、一体的な構造となっている。前記皿本体部、前記外縁部および前記連結部は、前記樹脂ペーパー材料から構成されている。前記皿本体部及び前記外縁部は、他の前記皿本体部及び前記外縁部と積層可能な構造を有している。
【発明の効果】
【００１１】
本発明の紙コップによれば、液体を収納するコップ本体部および底面部の少なくとも一方が、無機物質粉末および樹脂を含む樹脂ペーパー材料から構成されているので、紙材料よりも重い当該樹脂ペーパー材料によって紙コップの重量を大きくすることができる。したがって、カップホルダーなどの器具を使用しなくても、風が吹いても飛んでいかない紙コップを実現することができる。また、本発明の紙皿によれば、皿本体部および外縁部が、無機物質粉末および樹脂を含む樹脂ペーパー材料から構成されているので、紙材料よりも重い当該樹脂ペーパー材料によって紙皿の重量を大きくすることができる。したがって、紙皿を固定する器具を使用しなくても、風が吹いても飛んでいかない紙皿を実現することができる。
【図面の簡単な説明】
【００１２】
【図１】従来のカップホルダー２０００を示す図である。
【図２】本発明の実施形態に係る紙コップ１００の構成を模式的に示す図である。
【図３】本発明の実施形態に係る紙皿１０１の構成を模式的に示す図である。
【図４】本発明の実施形態に係る紙皿１０２の構成を模式的に示す図である。
【図５】本発明の実施形態に係る紙コップ１００の改変例を模式的に示す図である。
【図６】本発明の実施形態に係る紙皿１０１の改変例を模式的に示す図である。
【図７】本発明の実施形態に係る紙皿１０２の改変例を模式的に示す図である。
【図８】本発明の実施形態に係る紙コップ１００の製造方法を説明するためのフローチャートである。
【発明を実施するための形態】
【００１３】
以下、図面を参照しながら、本発明の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、必ずしも実際の寸法関係を正確に反映していない場合があるが、基本的に反映させるようにしている。
【００１４】
また、本明細書において特に言及している事項以外の事柄であって本発明の実施に必要な事項は、当該分野における従来技術に基づく当業者の設計事項として把握され得る。本発明は、本明細書及び図面によって開示されている内容と当該分野における技術常識とに基づいて実施することができる。加えて、本発明は、以下の実施形態に限定されるものではない。
【００１５】
図２は、本発明の実施形態に係る紙コップ１００の構成を模式的に示す斜視図である。本実施形態の紙コップ１００は、液体を収納するコップ本体部１１から構成されている。本実施形態の構成において、コップ本体部１１の上部には、液体を入れる開口１５が形成されており、その反対側には底面部１７が形成されている。コップ本体部１１は、筒状形状を有している。そして、コップ本体部１１の内部の下方に底面部１７が位置しており、底面部１７がコップ本体部１１の内部の下部を塞ぐことによって、コップ本体部１１の底部が密閉状態となっており、液体（例えば、水、ジュース、アルコール類（ビール、ワインなど）を保持することができる。なお、コップ本体部１１の開口１５の端部１９は（どの部位も）飲み口となる。
【００１６】
本実施形態のコップ本体部１１は、ほぼ円筒形状であるが、開口１５側の径（直径）が大きく、底面部１７側の径（直径）が小さい形状となっている（すなわち、緩やかなテーパー形状になっている）。開口１５（飲み口の端部１９）は円形をしており、そして、底面部１７は、開口１５よりも直径が小さい円形をしている。コップ本体部１１は、組立前の状態では展開することができ、接合部１３で接着（例えば、圧着、溶着など）することによって、テーパー形状の円筒構造体が作製される。また、底面部１７は、コップ本体部１１の内部の壁面に接着されて固定されている。
【００１７】
本実施形態のコップ本体部１１および底面部１７の少なくとも一方は、無機物質粉末および樹脂を含む樹脂ペーパー材料１０から構成されている。本実施形態では、コップ本体部１１および底面部１７の両方とも、樹脂ペーパー材料１０から構成されている。図示した例では、紙コップ１００の全部が、樹脂ペーパー材料１０からなる。樹脂ペーパー材料１０は、無機物質粉末（例えば、炭酸カルシウム）を主原料として、つなぎ用の基材（例えば、ポリエチレン樹脂、プロピレン樹脂など）を配合することによって形成されている。樹脂ペーパー材料１０の秤量（単位当たり重量）は、パルプ材料から構成された紙材料（ここでは、典型的な紙コップ用原紙）の秤量よりも大きい。具体的には、樹脂ペーパー材料１０の坪量（ｇ／ｍ２）は、例えば２５０ｇ／ｍ２以上、好ましくは３００ｇ／ｍ２以上、さらに好ましくは１０００ｇ／ｍ２以上（あるいは、５００ｇ／ｍ２〜６０００ｇ／ｍ２）である。樹脂ペーパー材料１０の坪量の上限は特に限定されないが、紙コップとして扱いやすい重さの範囲（例えば、紙コップ用原紙の秤量の１．３〜５０倍、好ましくは５〜３０倍）にするとともに、紙コップの強度・可撓性などの特性を確保できる材料の構成にすることが好ましい。なお、典型的な紙コップ用の原紙（冷飲料紙コップ用の紙基材）の秤量は、１８０ｇ／ｍ２以上、２４０ｇ／ｍ２以下である。参考までに官製はがきの坪量は２０９ｇ／ｍ２である。ここで「坪量」とは、坪量は１平方メートル当りの紙の重量をグラムで表したものである。紙は環境湿度に応じて含有する水分量が変化するので、坪量は、標準温度・湿度で十分調湿して測定される（室温２３度±２度、湿度６５％±２％）。
【００１８】
本実施形態の紙コップ１００では、典型的な紙コップ用原紙よりも大きな秤量を有する樹脂ペーパー材料１０から構成されているので、液体を入れていない状態（または、液体が少ない状態）において風が吹いたとしても簡単には倒れたり飛んでいったりしない。したがって、風が吹いても飛んでいかない紙コップ１００を実現することができるとともに、転倒防止のためにカップホルダーなどの器具を使用しなくてもよいので、バーベキューや野外パーティーなどの食事をする時に便利である。
【００１９】
また、樹脂ペーパー材料１０から構成された紙コップ１００は、使用後は、燃えるゴミとして処理することができるので、後処理においても便利である。さらに、本実施形態の紙コップ１００が重い紙材料から構成されているといっても、陶器製コップ、ガラス製コップよりも軽いとともに割れないので、怪我に結びつくことがなくて安全である。
【００２０】
本実施形態の樹脂ペーパー材料１０は、耐水性を有しており、また、表面に撥水加工をすることも可能である。さらに、樹脂ペーパー材料１０の表面に印字・印刷をすることも可能である。また、樹脂ペーパー材料１０の材料として、パルプ（木材）を含まない構成の場合、資源保護、ＣＯ２削減にも貢献することができる。
【００２１】
本実施形態の樹脂ペーパー材料１０は、フィラー含有プラスチックシートと称することもできる。本実施形態の樹脂ペーパー材料１０に含まれる無機物質粉末（フィラー）は、炭酸カルシウム、酸化チタン、シリカ、クレー、タルク、カオリン、水酸化アルミニウムなどである。特に、石から抽出される無機鉱物粉末（例えば、炭酸カルシウム）は、木材由来のパルプと比較して、大量かつ安価に存在するので、環境保護面およびコスト面から好ましい。無機物質粉末（フィラー）の含有量（配合量）は、樹脂ペーパー材料１０の全質量に対し、例えば３５質量％以上、好適には４０質量％以上である。無機物質粉末（フィラー）の含有量は、紙コップ１００に求められる特性を満たすとともに、紙コップ１００の重さが転倒防止効果を奏する範囲で調整される。また、全フィラーの含有量は、例えば、８５質量％以下、好適には７５質量％以下である。全フィラーの含有量が８５質量％以下であれば、シート材料（樹脂ペーパー材料１０）の強度などの特性を十分なものにすることができる。なお、強度などの特性を確保することができるのであれば、全フィラーの含有量を、例えば８５質量％以上（または、７５〜９５質量％）にすることも可能である。樹脂ペーパー材料１０の配合成分の一例としては、炭酸カルシウム６０質量％、ポリエチレン４０質量％にすることができ、他の一例としては、炭酸カルシウム８０質量％、ポリエチレン２０質量％にすることができる（なお、他の成分が入った場合は、表記上、成分全体の合計が１００質量％を越えることがある）。
【００２２】
また、本実施形態の樹脂ペーパー材料１０に含まれる樹脂は、例えば、ポリエチレン、ポリプロピレン等のオレフィン樹脂、スチレン系樹脂、ナイロン６６等のポリアミド及びポリエチレンテレフタレート等のポリエステルからなる群から選択される一種類以上である。樹脂ペーパー材料１０に含まれる樹脂は、結晶性プラスチックが好ましく、なかでも、オレフィン樹脂であることが好ましい。さらに、本実施形態の樹脂ペーパー材料１０には、上記樹脂と無機物質粉末（フィラー）の他に、滑剤、酸化防止剤、紫外線吸収剤、着色用顔料、分散剤、相溶化剤、帯電防止剤、難燃剤等の中から選ばれる１種以上の補助剤を、添加してもよい。
【００２３】
図２に示した紙コップ１００は、他の紙コップ１００と積み重ねて、スタック状態にして持ち運ぶことができる。具体的には、紙コップ１００の底面部１７を、他の紙コップ１００の開口１５に挿入して、複数（２つ以上）の紙コップ１００を積層することができる。言い換えると、本実施形態の紙コップ１００は、同種の紙コップ１００に対して積層可能な形状を有している。複数の紙コップ１００を積層した状態にしておくと、占有体積を大幅に軽減させることができるので、バーベキューなどのパーティーでの移動・準備の段階で便利である。
【００２４】
さらに、図２に示した構造では、コップ本体部１１が円筒形状（より詳細には、テーパー状の円筒形状）の紙コップ１００を示したが、樹脂ペーパー材料１０（重い紙材料）から構成されたものであれば、折り畳み式の紙コップの形態であってもよい。折り畳み式の紙コップ１００の場合、使用するまで場所をとらないので便利である。また、コップ本体部１１は円筒形状（テーパ付きの円筒形状）にかぎらず、テーパーなしの円筒形状であってもよいし、また、円形以外の形状（楕円形など）のコップ本体部１１にしても構わない。
【００２５】
本実施形態の紙コップ１００によれば、液体（水（氷含む）、ジュース、ビールなど）を収納するコップ本体部１１及び／又は底面部１７が、無機物質粉末および樹脂を含む樹脂ペーパー材料１０から構成されているので、紙材料よりも重い樹脂ペーパー材料１０によって紙コップ１００の重量を大きくすることができる。したがって、カップホルダーなどの器具を使用しなくても、風が吹いても飛んでいかない紙コップ１００を実現することができる。
【００２６】
なお、紙コップの下部に重石（金属、石やガラスなど）をつけて風で飛ばないような紙コップを作ることも可能であるが、そのような紙コップは使用後に可燃物（燃えるゴミ）として捨てることができないので不便である。また、紙コップに重石をつける製造工程が加わるため、材料費・製造コストが上がってしまうので好ましくない。本実施形態では、重石をつけるのではなく、紙コップ１００を、樹脂ペーパー材料１０（重い紙材料）から構築しているので、重石を付けるような製造工程を行う必要がない。
【００２７】
上述した本実施形態の紙コップ１００と同様な構成（すなわち、フィラー入りの樹脂ペーパー材料１０）で、紙皿を構築することも可能である。図３および図４は、本発明の実施形態に係る紙皿１０１の構成を模式的に示している。図３に示した紙皿１０１は平皿であり、そして、図４に示した紙皿１０２は深皿である。
【００２８】
図３に示した紙皿（平皿）１０１は、物（食材、料理など）が配置される皿本体部２１と、皿本体部２１の外縁に位置する外縁部２２とを備えている。本実施形態の構成では、皿本体部２１および外縁部２２は、無機物質粉末および樹脂を含む樹脂ペーパー材料２０から構成されている。本実施形態の樹脂ペーパー材料２０は、上述した樹脂ペーパー材料１０と同様なものであるので重複する説明（フィラー、樹脂など）については説明を省略する。具体的には、樹脂ペーパー材料２０は、無機物質粉末（例えば、炭酸カルシウム）を主原料として、つなぎ用の基材（例えば、ポリエチレン樹脂、プロピレン樹脂など）を配合することによって形成されている。樹脂ペーパー材料２０の秤量（単位当たり重量）は、パルプ材料から構成された紙材料（ここでは、典型的な紙コップ用原紙または紙皿用原紙）の秤量よりも大きい。具体的には、樹脂ペーパー材料２０の坪量（ｇ／ｍ２）は、例えば２５０ｇ／ｍ２以上、好ましくは３００ｇ／ｍ２以上、さらに好ましくは１０００ｇ／ｍ２以上（あるいは、５００ｇ／ｍ２〜６０００ｇ／ｍ２）である。樹脂ペーパー材料２０の坪量の上限は特に限定されないが、紙皿として扱いやすい重さの範囲（例えば、紙コップ（又は紙皿）用原紙の秤量の１．３〜５０倍、好ましくは５〜３０倍）にするとともに、紙皿の強度・可撓性などの特性を確保できる材料の構成にすることが好ましい。
【００２９】
図示した紙皿１０１は、円形（円盤）の皿本体部２１と、皿本体部２１の外縁に位置する外縁部２２（円環形状）とから構成されている。皿本体部２１は、外縁部２２よりも低い位置に配置されており、それによって凹部２５が形成されている。皿本体部２１および外縁部２２は、連結部２３によって接続されている。この例の連結部２３は、斜面の形状で、凹部２５の底面に位置する皿本体部２１と、その周囲に位置する外縁部２２とを連続的につないでいる。本実施形態では、皿本体部２１、外縁部２２および連結部２３は、一体的な構造をしている。そして、本実施形態の構成において、皿本体部２１、外縁部２２および連結部２３はすべて、樹脂ペーパー材料２０から構成されている。
【００３０】
また、本実施形態の紙皿１０１は、他の紙皿１０１と積層可能な構造を有している。具体的には、紙皿１０１における皿本体部２１の裏側に位置する底面２７が、他の紙皿１０１の皿本体部２１の上面に接して積層状態になる（同様に、外縁部２２の部位も積層状態になる）。したがって、複数（２つ以上）の紙皿１０１を積層することができるので、占有体積を大幅に軽減させることができるので、バーベキューなどのパーティーでの移動・準備の段階で便利である。
【００３１】
図４に示した紙皿（深皿、ペーパーボール）１０２も、物（食材、料理、スープなど）が配置される皿本体部２１と、皿本体部２１の外縁に位置する外縁部２２とを備えている。図４に示した紙皿１０２は、図３に示した紙皿１０１と比較して、凹部２５が深いので、スープなどの液体のものを収容することが容易である。紙皿１０２も全体が一体的に形成されており、全体が連続して樹脂ペーパー材料２０から構成されている。また、図４に示した紙皿１０２も、他の紙皿１０２と積層可能な構造を有している。
【００３２】
本実施形態の紙皿１０１（１０２）によれば、皿本体部２１および外縁部２２が、無機物質粉末および樹脂を含む樹脂ペーパー材料２０から構成されているので、紙材料よりも重い当該樹脂ペーパー材料によって紙皿の重量を大きくすることができる。したがって、紙皿を固定する器具を使用しなくても、風が吹いても飛んでいかない紙皿１０１（１０２）を実現することができる。
【００３３】
なお、図３に示した紙皿１０１において、箸などが置けるくらい外縁部２２を広く（大きく）形成したが、もう少し狭くしても構わない。また、図４に示した紙皿１０２においては、外縁部２２を狭く形成したが、もっと広く形成してもよい。あるいは、外縁部２２は、連結部（接続部）２３の端面（外縁部）にしても構わない。加えて、連結部２３は傾斜面にしているが、鉛直方向に延びる垂直面にしても構わない。なお、図３及び図４に示した紙皿１０１（１０２）は円形形状を基本にしたものを示したが、それ以外の形状（楕円形、長円形、長方形、正方形、その他の幾何学形状、または、ひょうたん型、魚型などの自然界の形状を模したもの）の紙皿にしてもよい。
【００３４】
さらに、本実施形態の紙コップ１００は、図５に示すように改変してもよい。図５に示した紙コップ１００では、開口１５の外縁の端部１９（飲み口の端部１２）は、コップ本体部１１よりも外側に張り出した構造をしている。また、コップ本体部１１の底部（底面部１７側）には、径が縮小した部位（縮小部）１４が形成されている。
【００３５】
加えて、図１および図５に示した紙コップ１００は、各要素（パーツ１１、１７）を組み立てた組立型の構造をしている。図示した例では、コップ本体部１１に接合部１３が現れているが、紙コップ１００の全体を、樹脂ペーパー材料１０で一体的に連続して（継ぎ目なしで）形成した構造にしてもよい。また、紙コップ１００のコップ本体部１１に溝をつけたり、模様をつけたり、文字やキャラクターをつけたり、色をつけたり、ザラザラ表面にしたり、凹凸をつけたりしてもよい。
【００３６】
そして、図６及び図７に示した紙皿１０１及び１０２は、図３及び図４に示した紙皿１０１及び１０２の改変例を示している。
【００３７】
図６に示した紙皿１０１では、外縁部２２に溝部２９が形成されている。この溝部２９は、放射状に等間隔で延びている。なお、溝部２９は、放射状でなく、同心円状に形成しても構わない。さらに、紙皿１０１では、皿本体部２１と連結部２３との間に窪み部２４が形成されている。この窪み部２４において、タレやソースなどを保留することも可能である。図７に示した紙皿１０２でも、外縁部２２に溝部２９が形成されている。溝部２９は、外縁部２２だけでなく、皿本体部２１および／または連結部２３に形成しても構わない。
【００３８】
次に、図８を参照しながら、本実施形態に係る紙コップ１００の製造方法の一例について説明する。図８は、本実施形態の製造方法の一例を説明するフローチャートである。
【００３９】
まず、紙コップ１００の材料となる重い紙（樹脂ペーパー材料１０）を作製する（工程Ｓ１００）。樹脂ペーパー材料１０の作製工程（Ｓ１００）においては、無機物質粉末（例えば、炭酸カルシウム）に、樹脂（例えば、ポリエチレン樹脂、プロピレン樹脂など）を混練した後、その混練した材料を押出して、シート状材料（樹脂ペーパー材料１０）を成形する。
【００４０】
次に、樹脂ペーパー材料１０から、紙コップ１００のパーツ（１１、１７）を切り出す（工程Ｓ２００）。具体的には、各パーツ（１１、１７）の形状・寸法を規定した抜き型で、樹脂ペーパー材料１０をカットして、各パーツ（１１、１７）を作製していく。
【００４１】
次に、各パーツ（１１、１７）から紙コップ１００の組立てを行う（工程Ｓ３００）。具体的には、コップ本体部１１のパーツ（胴部）の両端を溶かして、金型に巻き付けて両端を圧着して筒状にする。続いて、コップ本体部１１の下端を折り込んで、円形の底面部１７に圧着して固定する。また、図５に示した飲み口端部１２は、コップ本体部１１の端部１９を外側に巻き込んで形成すればよい。
【００４２】
その後、作製された紙コップ１００を積層して、一定数に積層されたものをパッキング（または箱詰め）する（工程Ｓ４００）。このようにして、一つのまとまりになった紙コップ１００が作製される。このような紙コップ１００の製造は、上述のプロセスを実行する製造装置（紙コップ作製機械）を用いて行うことができる。
【００４３】
なお、各パーツ（１１、１７）に切り出ししてから組み立てるのではなく、紙コップ１００の形状を規定する金型に、樹脂ペーパー材料１０を入れて、紙コップ１００を作製する手法を採用してもよい。この場合には、継ぎ目（１３など）のない紙コップ１００を作製することが可能である。
【００４４】
また、紙皿１０１（または１０２）を作製する場合は、無機物質粉末（例えば、炭酸カルシウム）と樹脂（例えば、ポリエチレン樹脂、プロピレン樹脂など）を原料にして作製した樹脂ペーパー材料２０から、紙皿１０１（１０２）のパーツの切り出しを行って、そのパーツをプレスすることで、紙皿１０１（１０２）を作製することができる。紙皿１０１（１０２）についても、パーツに切り出ししてから作製するのではなく、紙皿１０１（１０２）の形状を規定する金型に、樹脂ペーパー材料２０を入れて、紙皿１０１（１０２）を作製する手法を採用してもよい。
【００４５】
以上、本発明を好適な実施形態により説明してきたが、こうした記述は限定事項ではなく、勿論、種々の改変が可能である。例えば、紙皿１０１（１０２）において、皿本体部２１の表面（上面）に仕切り部が設けられた構造に改変することも可能である。また、紙コップ１００、紙皿１０１（１０２）の表面にラミネート加工（または、コーティング処理）が施されているような処理がされていてもよい。加えて、紙コップ１００、紙皿１０１（１０２）の表面に印刷によって模様を形成してもよい（または、模様付きの樹脂ペーパー材料１０（２０）を使用してもよい）。さらには、紙コップ１００、紙皿１０１（１０２）の色は、白、肌色などの他、黒、赤、青、黄、緑、紫のような有彩色、または、金、銀のような金属色にしてもよい。なお、本実施形態の紙コップ１００、紙皿１０１（１０２）は、野外バーベキュー、パーティー等での使い捨ての用途の他、レストラン・店舗での繰り返しの使用（使い捨てでない使用）を行っても構わない。そして、本発明の実施形態に係る紙コップ１００、紙皿１０１、紙皿１０２で説明した特徴は、矛盾しない限り、相互に適用可能である。
【産業上の利用可能性】
【００４６】
本発明によれば、風が吹いても飛んでいかない紙コップおよび紙皿を提供することができる。
【符号の説明】
【００４７】
１０   樹脂ペーパー材料
１１   コップ本体部
１２   飲み口端部
１３   接合部
１５   開口
１７   底面部
１９   開口端部
２０   樹脂ペーパー材料
２１   皿本体部
２２   外縁部
２３   連結部
２４   窪み部
２５   凹部
２７   底面
２９   溝部
１００ 紙コップ
１０１ 紙皿
１０２ 紙皿
１０００  カップ（紙コップ）
２０００  カップホルダー
２１００  保持部
２２００  延長部
２３００  支持部
【図１】
2019026370.tif 000003
【図２】
2019026370.tif 000004
【図３】
2019026370.tif 000005
【図４】
2019026370.tif 000006
【図５】
2019026370.tif 000007
【図６】
2019026370.tif 000008
【図７】
2019026370.tif 000009
【図８】
2019026370.tif 000010